(57)【特許請求の範囲】
【請求項１】
複数のタグを所定順序で並べて各タグに対応する宛先選択画面を重ねた状態で表示し、所望のタグを選択することでそのタグに対応した宛先選択画面を前面に表示し、その宛先選択画面上に表示された宛先の中から所望の宛先を選択可能に表示する表示手段と、待機時に前記表示手段に待機画面としての宛先選択画面を表示する場合、前記所定順序にしたがって各タグに対応する宛先選択画面での登録宛先の有無を判断し、登録宛先を有した最初の宛先選択画面とそれに対応するタグとを前記待機画面として前面に出して表示させる制御手段と、を具備することを特徴とするファクシミリ装置。
【請求項２】
複数のタグを所定順序で並べて各タグに対応する宛先選択画面を重ねた状態で表示し、所望のタグを選択することでそのタグに対応した宛先選択画面を前面に表示し、その宛先選択画面上に表示された宛先の中から所望の宛先を選択可能に表示する表示手段と、待機時に前記表示手段に待機画面としての宛先選択画面を表示する場合、前記所定順序にしたがって各タグに対応する宛先選択画面での登録宛先の有無を判断し、登録宛先を有した宛先選択画面が存在しないと判断したとき、先頭に位置するタグとそれに対応する宛先選択画面とを前記待機画面として表示させる制御手段と、を具備することを特徴とするファクシミリ装置。
【請求項３】
請求項１、請求項２のいずれかに記載のファクシミリ装置と同一のファクシミリ機能を具備したことを特徴とする複合機。
【発明の詳細な説明】
【０００１】
【発明の属する技術分野】
本発明は、表示画面上で宛先を選択する機能を有するファクシミリ装置及び複合機に関する。
【０００２】
【従来の技術】
従来、この種のファクシミリ装置または複合機は、大型の液晶タッチパネルディスプレイを有するものがある。この画面の中には、ファクシミリ通信に用いる宛先を選択できる画面がある。ファクシミリ通信用には、約２００を超える宛先の登録が可能であり、この膨大な数の登録宛先から効率的に所望の宛先を選択できるように画面上に工夫がなされている。
【０００３】
例えば、宛先選択用の画面上では、タグを有した複数の画面が重ねて表示され、所望のタグを指で触れると、そのタグのついた画面が前面に表われて、その画面の中に存在する宛先を選択可能にしたものがある。日本語であれば、「あ、か、さ、た、・・・・」と表示され、通常あ行のタグが付いた画面が前面に表示されるように初期設定されているが、か行のタグを指で触れると、その画面が前面に表われ、か行で始まる宛先の選択が可能となる。また、英字であれば、「Ａ、Ｂ、Ｃ、Ｄ・・・・」と表示され、通常Ａのタグが付いた画面が前面に表示されるように初期設定されているが、Ｂのタグを指で触れると、その画面が前面に表われ、Ｂ行で始まる宛先の選択が可能となる。
【０００４】
【発明が解決しようとする課題】
しかし、かかる従来の技術では、以下のような問題があった。
【０００５】
即ち、日本語であれば、あ行からわ行まで１０個の行があるため、１０個のタグが必要となり、また、英字であれば、ＡからＺまで２６個のアルファベットがあるため、２６個のタグが必要となり、宛先選択用の画面上にその全てを同時に表示することは、表示スペースの制約からできなかった。そのため、宛先選択用の画面を何回かに分けて表示する必要があった。その結果、所望の宛先にたどり着くまで、何回か画面を切り替える必要が生じ、操作性が悪いという問題があった。
【０００６】
また、各タグには、必ずしも宛先が登録されているわけではなく、宛先が登録されていないタグの画面も存在する。その場合にまで、宛先の登録がある画面と同様に表示し、選択の対象としたのでは、ユーザに無駄に操作をさせることになり、操作性が悪いという問題が生じていた。
【０００７】
本発明は、かかる問題点に鑑みて為されたものであり、表示画面上に宛先選択用の画面を複数同時に重ねて表示し、その画面の中から所望の画面を選択することで所望の宛先を選択する表示画面を有し、その表示画面の表示スペース上の制約から宛先選択用の画面の全てを同時に表示できない場合であっても、操作性の向上を図ることができるファクシミリ装置及び複合機を提供することを目的とする。
【０００８】
【課題を解決するための手段】
本発明は、複数のタグを所定順序で並べて各タグに対応する宛先選択画面を重ねた状態で表示し、所望のタグを選択することでそのタグに対応した宛先選択画面を前面に表示し、その宛先選択画面上に表示された宛先の中から所望の宛先を選択可能に表示する表示手段と、待機時に前記表示手段に待機画面としての宛先選択画面を表示する場合、前記所定順序にしたがって各タグに対応する宛先選択画面での登録宛先の有無を判断し、登録宛先を有した最初の宛先選択画面とそれに対応するタグとを前記待機画面として前面に出して表示させる制御手段とを備えたものである。
【０００９】
これにより、表示画面の表示スペース上の制約から宛先選択用の画面の全てを同時に表示できない場合であっても、登録宛先のある表示画面が優先的に前面に表示されるので、登録宛先のある画面の中からユーザに所望の宛先を選択させることができ、操作性の向上を図ることができる。
【００１０】
【発明の実施の形態】
本発明の第１の態様に係るファクシミリ装置は、複数のタグを所定順序で並べて各タグに対応する宛先選択画面を重ねた状態で表示し、所望のタグを選択することでそのタグに対応した宛先選択画面を前面に表示し、その宛先選択画面上に表示された宛先の中から所望の宛先を選択可能に表示する表示手段と、待機時に前記表示手段に待機画面としての宛先選択画面を表示する場合、前記所定順序にしたがって各タグに対応する宛先選択画面での登録宛先の有無を判断し、登録宛先を有した最初の宛先選択画面とそれに対応するタグとを前記待機画面として前面に出して表示させる制御手段と、を具備する構成を採る。
【００１１】
この構成により、表示画面上に宛先選択用の画面を複数同時に重ねて表示し、その画面の中から所望の画面を選択することで所望の宛先を選択する表示画面を有し、その表示画面の表示スペース上の制約から宛先選択用の画面の全てを同時に表示できない場合であっても、待機時に、例えば、日本語であれば「あ行」に登録宛先がない場合には「あ行」の画面ではなく登録宛先のある次以降の行の画面を優先的に前面に表示することにより、登録された宛先の存在する画面の中からユーザに所望の宛先を選択させることができるので、無駄に画面を切替えさせる手間を省き、操作性の向上を図ることができる。
【００１８】
本発明の第２の態様に係るファクシミリ装置は、複数のタグを所定順序で並べて各タグに対応する宛先選択画面を重ねた状態で表示し、所望のタグを選択することでそのタグに対応した宛先選択画面を前面に表示し、その宛先選択画面上に表示された宛先の中から所望の宛先を選択可能に表示する表示手段と、待機時に前記表示手段に待機画面としての宛先選択画面を表示する場合、前記所定順序にしたがって各タグに対応する宛先選択画面での登録宛先の有無を判断し、登録宛先を有した宛先選択画面が存在しないと判断したとき、先頭に位置するタグとそれに対応する宛先選択画面とを前記待機画面として表示させる制御手段と、を具備する構成を採る。
【００１９】
この構成により、待機時に、例えば、日本語であれば「あ行」から「た行」、「な行」から「や行」、「ら行」から「わ行」をそれぞれ一組みとしてタグとそれに対応する宛先選択画面を表示する場合、「あ行」から「わ行」の組みのいずれの画面にも登録宛先がない場合には、先頭の組みである「あ行」から「た行」の画面を優先的に表示することにより、先頭の組みの画面が表示されていてその画面に登録宛先がない場合には他の組みの画面にも登録宛先がないことがユーザに分かるので、ユーザが画面を不要に切替える手間を省き、操作性の向上を図ることができる。
【００２０】
本発明の第３の態様に係る複合機は、第１、第２のいずれかの態様に係るファクシミリ装置と同一のファクシミリ機能を具備したものである。
【００２１】
以下、本発明の一実施の形態について図面を参照して詳細に説明する。
【００２２】
図１は、本発明の一実施の形態に係るファクシミリ装置１００の概略構成を示すブロック図である。なお、本ファクシミリ装置１００は、ファクシミリ装置としての機能と共に、コピー機等の複写装置としての機能も有している。また、プリンタ等の記録装置としての機能も有している。本明細書において、複合機とは、ファクシミリ装置としての機能に加え複写装置としての機能を備えた装置、あるいは、ファクシミリ装置としての機能に加え複写装置及び記録装置としての機能を備えた装置のことをいうものとする。
【００２３】
本実施の形態に係るファクシミリ装置１００は、装置全体の制御を行うＣＰＵ１０１を備えている。このＣＰＵ１０１にシステムバス１０２を介して、ＦＲＯＭ１０３、ＤＲＡＭ１０４が接続されている。
【００２４】
ＦＲＯＭ１０３には、ＣＰＵ１０１が実行するプログラムが格納されている。ＣＰＵ１０１は、このプログラムを実行することにより、システムバス１０２を介して本ファクシミリ装置１００の各構成要素の制御を行い、ファクシミリ装置としての機能、記録装置としての機能及び複写装置としての機能を実現する。
【００２５】
また、ＦＲＯＭ１０３は、図２に示すように、ファクシミリ送信を行う場合の宛先の電話帳登録データが登録される電話帳登録エリア２０１及びプログラム送信を行う場合の宛先のプログラム登録データが登録されるプログラム登録エリア２０２を有している。なお、プログラム送信とは、複数の宛先に同時にファクシミリ送信する場合等、ユーザの用途に合わせて設定した宛先にファクシミリ送信することをいう。
【００２６】
ＤＲＡＭ１０４は、ＣＰＵ１０１のワークメモリとして用いられる。また、スキャナ等の読取手段で読み取った画像データや電話回線網を介して受信した画像データを格納する。
【００２７】
また、ＤＲＡＭ１０４には、図３に示すように、ＦＲＯＭ１０３の電話帳登録エリア２０１及びプログラム登録エリア２０２に登録された電話帳登録データ及びプログラム登録データが、例えば五十音順に並び替えられた電話帳検索テーブル３０１が格納される。さらに、その電話帳検索テーブル３０１のデータを所定のタグ毎に表示するためのデータ（以下、「タグ情報」という）から成るタグ情報テーブル３０２が格納される。なお、電話帳検索テーブル３０１及びタグ情報テーブル３０２の作成手順については、後述する。
【００２８】
また、システムバス１０２には、記録制御部１０５、読取制御部１０６、パネル制御部１０７が接続されている。
【００２９】
記録制御部１０５は、プリンタ等の記録手段に接続され、この記録手段の制御を行う。記録制御部１０５の制御の下、記録手段は、画像データの記録を行う。読取制御部１０６は、スキャナ等の読取手段に接続され、この読取手段の制御を行う。読取制御部１０６の制御の下、読取手段は、原稿の画像データを読み取る。
【００３０】
パネル制御部１０７には、入力手段の機能を備えた表示手段としての操作パネルが接続されている。操作パネルは、例えば、大型の液晶タッチパネルで構成される。パネル制御部１０７は、操作パネルに後述する宛先選択画面を表示するための基礎画面の画面データを保持している。そして、ＣＰＵ１０１からこの基礎画面上に表示される画面データを受け取り、操作パネルにファクシミリ送信の宛先選択画面を表示する。ユーザは、この操作パネルから上述の電話帳登録データやプログラム登録データを入力できると共に、操作パネル上に表示された宛先選択画面から宛先を選択することができる。
【００３１】
図４は、操作パネル上に表示される宛先選択画面の構成の一例を示す図である。宛先選択画面には、「あ行／か行」、「さ行／た行」、「な行／は行」、「ま行／や行」「ら行／わ行」、「プログラム」に属する宛先の選択用の画面が重ねられて表示されている。それぞれの宛先選択用の画面には、各行に対応するタグが付されており、各行から始まる宛先の電話帳登録データが登録される。それぞれの宛先選択用の画面に付されたタグをユーザが選択することで、このタグの付された画面が前面に表示される。ユーザは、この画面に表示された宛先の中から所望の宛先を選択することができる。なお、この宛先選択画面は、本ファクシミリ装置１００におけるモード（ファクシミリモード、コピーモード、プリンタモード）のうち、ファクシミリモードにおける待機画面として操作パネルに表示されるものである。図４では、宛先が登録されていない「あ行／か行」の宛先選択用の画面が前面に表示されている。
【００３２】
さらに、システムバス１０２には、モデム１０８及び網制御部１０９が接続されている。モデム１０８は、電話回線網を介して所定の信号及び画像データの通信を行う。このとき、網制御部１０９は、電話回線網との間で信号等の送受信を制御する。
【００３３】
次に、上記構成を有するファクシミリ装置１００において、電源が投入された場合に操作パネルに宛先選択画面を表示するまでのフローについて説明する。図５は、本ファクシミリ装置１００に電源が投入された場合に操作パネルに宛先選択画面を表示するまでのフロー図である。
【００３４】
本ファクシミリ装置１００に電源が投入されると（ＳＴ５０１）、初期画面の設定がコピーモードであるか、ファクシミリモードであるかが判断される（ＳＴ５０２）。ここで、初期画面の設定がコピーモードである場合には、コピー待機画面が操作パネルに表示された後（ＳＴ５０３）、電話帳検索テーブル作成処理に移行する（ＳＴ５０４）。なお、初期画面の設定がファクシミリモードである場合には、そのまま電話帳検索テーブル作成処理に移行する（ＳＴ５０４）。
【００３５】
ここで、電話帳検索テーブル作成処理について図６を用いて説明する。図６は、電話帳検索テーブル作成処理のフロー図である。電話帳検索テーブル作成処理とは、ＦＲＯＭ１０３の電話帳登録エリア２０１及びプログラム登録エリア２０２に登録された電話帳登録データ及びプログラム登録データを用いて電話帳検索テーブル３０１を作成し、ＤＲＡＭ１０４に格納する処理である。
【００３６】
電話帳検索テーブル作成処理を開始すると、ＣＰＵ１０１は、ＦＲＯＭ１０３の電話帳登録エリア２０１及びプログラム登録エリア２０２に登録された電話帳登録データ及びプログラム登録データを取得する（ＳＴ６０１）。
【００３７】
そして、ＣＰＵ１０１は、取得した電話帳登録データ及びプログラム登録データを、例えば、五十音順に並び替えた後、ＤＲＡＭ１０４に格納する（ＳＴ６０２）。この結果、ＤＲＡＭ１０４に電話帳検索テーブル３０１が格納される。
【００３８】
電話帳検索テーブル作成処理において、ＤＲＡＭ１０４に電話帳検索テーブル３０１が格納されると、タグ情報テーブル作成処理に移行する（ＳＴ５０５）。
【００３９】
ここで、タグ情報テーブル作成処理について図７を用いて説明する。図７は、タグ情報テーブル作成処理のフロー図である。タグ情報テーブル作成処理とは、ＤＲＡＭ１０４に格納された電話帳検索テーブル３０１の並び替えられたデータを用いてタグ情報テーブル３０２を作成し、ＤＲＡＭ１０４に格納する処理である。
【００４０】
タグ情報テーブル作成処理を開始すると、ＣＰＵ１０１は、ＤＲＡＭ１０４に格納された電話帳検索テーブル３０１から並び替えられたデータを取得する（ＳＴ７０１）。
【００４１】
そして、取得したデータから各タグ毎の情報を表示するためのタグ情報を抽出し、ＤＲＡＭ１０４に格納する（ＳＴ７０２）。例えば、電話帳検索テーブル３０１のうち、各タグが付される宛先選択画面に表示される宛先登録数や、その宛先が書き込まれている先頭アドレスを抽出し、ＤＲＡＭ１０４に格納する。この結果、ＤＲＡＭ１０４にタグ情報テーブル３０２が格納される。
【００４２】
図８に上述した電話帳検索テーブル作成処理（ＳＴ５０４）、タグ情報テーブル作成処理（ＳＴ５０５）によって並び替え、あるいは抽出されるデータの状態の遷移図を示す。
【００４３】
図８（ａ）は、電話帳登録エリア２０１及びプログラム登録エリア２０２に登録された電話帳登録データ及びプログラム登録データについて示している。このとき、電話帳登録データ及びプログラム登録データは、入力された順番等に従って登録されているため、不規則に並んでいる。
【００４４】
図８（ｂ）は、電話帳検索テーブル作成処理を経て、電話帳検索テーブル３０１に登録された電話帳登録データ及びプログラム登録データについて示している。このとき、電話帳登録データ及びプログラム登録データは、電話帳検索テーブル作成処理によって並び替えられているため、五十音順に従って「あ」から降順に並んでいる。
【００４５】
図８（ｃ）は、タグ情報テーブル作成処理を経て、タグ情報テーブル３０２に登録されたタグ情報について示している。タグ情報テーブル作成処理によって、電話帳検索テーブル３０１から各タグの宛先登録数や電話帳検索テーブル３０１における最初の登録宛先の開始アドレスを指し示すポインタ（以下、「電話帳検索テープルポインタ」という）等のタグ情報がタグ毎に登録されている。具体的には、「あ行／か行」タグに対応して、あ行及びか行の登録宛先数、並びに、あ行の最初の宛先が登録されているアドレスを示す電話帳検索テーブルポインタが登録されている。
【００４６】
タグ情報テーブル作成処理において、ＤＲＡＭ１０４にタグ情報テーブル３０２が格納されると、先頭表示タグ決定処理に移行する（ＳＴ５０６）。
【００４７】
ここで、先頭表示タグ決定処理について図９を用いて説明する。図９は、先頭表示タグ決定処理のフロー図である。先頭表示タグ決定処理とは、宛先選択画面で先頭（前面）に表示されるタグを決定する処理である。
【００４８】
先頭表示タグ決定処理が開始すると、ＣＰＵ１０１は、まず、検索すべきタグ（以下、「検索タグ」という）に「あ行／か行」タグを指定する（ＳＴ９０１）。そして、検索タグ（「あ行／か行」タグ）に登録された宛先があるか判断する（ＳＴ９０２）。ここで、登録された宛先は、「ま行／や行」タグにのみあるものとする。
【００４９】
したがって、ＣＰＵ１０１は、処理をＳＴ９０３に移行し、検索タグ（「あ行／か行」タグ）が末尾のタグであるか判断する。ここで、末尾のタグとは、図４の宛先選択画面上で最後尾に設定されている「プログラム」タグをいう。すなわち、ＳＴ９０３では、検索タグが「プログラム」タグかどうかを判断している。
【００５０】
検索タグ（「あ行／か行」タグ）が末尾のタグ（「プログラム」タグ）でないため、ＣＰＵ１０１は、検索タグを次のタグ（「さ行／た行」タグ）に更新して（ＳＴ９０４）、処理をＳＴ９０２に戻す。「ま行／や行」タグにのみ登録宛先があるため、検索タグが「ま行／や行」タグに設定されるまで、ＣＰＵ１０１は、ＳＴ９０２〜ＳＴ９０４の処理を繰り返す。
【００５１】
そして、検索タグが「ま行／や行」タグとなった場合、ＣＰＵ１０１は、その検索タグ（「ま行／や行」タグ）に初めて登録宛先があると判断し（ＳＴ９０２）、この検索タグ（「ま行／や行」タグ）を表示タグと判断する（ＳＴ９０５）。そして、この検索タグを先頭表示タグに決定する（ＳＴ９０６）。
【００５２】
なお、ここでは、「ま行／や行」タグに登録宛先がある場合について説明したが、いずれのタグにも登録宛先がない場合には、ＳＴ９０３の処理において、検索タグが末尾のタグと判断される。この場合には、まったく登録宛先がないものと判断し、ＣＰＵ１０１は、表示タグを「あ行／か行」タグと判断する（ＳＴ９０７）。そして、「あ行／か行」タグが先頭表示タグと決定される（ＳＴ９０６）。
【００５３】
先頭表示タグ決定処理において、先頭表示タグが決定すると、画面データ作成処理に移行する（ＳＴ５０７）。画面データ作成処理において、ＣＰＵ１０１は、パネル制御部１０７が保持する宛先選択画像の基礎画面の画面データ上に表示する画面データを作成する。ここで作成される画面データとしては、例えば、いずれのタグを先頭表示タグとして指定するかを示すデータ（以下、「タグデータ」という）やパネル制御部１０７が保持する基礎画面の画面データ以外の画面データ（例えば、基礎画面データに後続する画面データ）を表示するために必要な画面データを含む。
【００５４】
画面データ作成処理において、所定の画面データを作成すると、ＣＰＵ１０１は、作成したデータをパネル制御部１０７に送信する（ＳＴ５０８）。
【００５５】
図１０は、ＣＰＵ１０１からパネル制御部１０７に送信する画面データの一例を示す図である。送信される画面データには、上述のように、タグデータ及びその他の画面データが含まれている。
【００５６】
タグデータは、上述のように、いずれのタグを先頭表示タグとして指定するかを示すデータである。タグデータについて、図９で用いた具体例を用いて説明すると、登録宛先は「ま行／や行」タグにしかないため、タグデータには、図１０に示すように、「ま行／や行」タグを先頭に表示する旨を示すフラグ「１」がセットされている。なお、仮に登録宛先が「ま行／や行」タグにあったとしても、「な行／は行」タグにもある場合には、「な行／は行」タグを先頭に表示する旨を示すフラグ「１」がセットされ、「ま行／や行」タグには、フラグなし「０」がセットされることとなる。すなわち、先頭表示タグに対応する箇所にのみフラグ「１」がセットされる。
【００５７】
パネル制御部１０７は、この画面データを受け取り、操作パネルに表示する（ＳＴ５０９）。図１１は、上述の具体例と同様に、登録宛先として、「ま行／や行」タグに「松下太郎」のみが登録されている場合に表示される宛先選択画面を示している。すなわち、本ファクシミリ装置１００の電源が投入されると、図５に示した各処理を経て操作パネルには、「ま行／や行」タグが先頭表示タグとされた、この宛先選択画面が表示される。
【００５８】
このように、本実施の形態のファクシミリ装置１００によれば、操作パネル上に表示スペース上の制約から宛先選択画面の全てを同時に表示できない場合であっても、待機時に、例えば、「あ行／か行」タグに登録宛先がない場合には「あ行／か行」タグの画面ではなく、登録宛先のある次以降の行の画面を優先的に前面に表示することにより、登録宛先のある画面の中からユーザに所望の宛先を選択させることができるので、無駄に画面を切替えさせる手間を省き、操作性の向上を図ることができる。
【００５９】
なお、本実施の形態では、宛先選択画面で「あ行／か行」、「さ行／た行」、「な行／は行」、「ま行／や行」「ら行／わ行」、「プログラム」といったタグを用いて説明したが、このような組合せに限定されるものではなく、どのような組合せであってもよい。もちろん、組合せることなくそれぞれ「あ行」、「か行」のように単独の行にタグを付してもよい。この場合であっても、本実施の形態と同様の効果を得ることができる。また、日本語に限定されず、アルファベットをタグに用いて分別するようにしても、もちろんよい。
【００６０】
また、本実施の形態のファクシミリ装置１００によれば、待機時に、いずれの組みの画面にも登録宛先がない場合には、最初の組みである「あ行／か行」の画面を表示している。これにより、最初の組みの画面が表示されていて、その画面に登録宛先がない場合には他の組みの画面にも登録宛先がないことがユーザに分かるので、ユーザが画面を不要に切替える手間を省き、操作性の向上を図ることができる。
【００６１】
また、本実施の形態では、ファクシミリ装置１００について説明しているが、上述したようなファクシミリ通信機能を含む複数の機能を備えた複合機にも、もちろん適用することができる。
【００６２】
以上説明したように、本発明によれば、その表示画面の表示スペース上の制約から宛先選択画面の全てを同時に表示できない場合であっても、待機時には、登録宛先のある宛先選択画面を優先的に前面に出して表示するので、登録宛先のある画面の中からユーザに所望の宛先を選択させることができ、無駄に画面を切替えさせる手間を省き、操作性の向上を図ることができる。
また、登録宛先のある画面が存在しない場合には、先頭の宛先選択画面が待機画面として表示されるので、無駄に画面を切替えさせる手間を省き、操作性の向上を図ることができる。
【図面の簡単な説明】
【図１】本発明の一実施の形態に係るファクシミリ装置の概略構成を示すブロック図
【図２】上記実施の形態に係るファクシミリ装置のＦＲＯＭ内の登録エリアを示す図
【図３】上記実施の形態に係るファクシミリ装置のＤＲＡＭ内のテーブルを示す図
【図４】上記実施の形態に係るファクシミリ装置の操作パネル上に表示される宛先選択画面の構成の一例を示す図
【図５】上記実施の形態に係るファクシミリ装置に電源が投入された場合に操作パネルに宛先選択画面を表示するまでのフロー図
【図６】上記実施の形態に係るファクシミリ装置における電話帳検索テーブル作成処理のフロー図
【図７】上記実施の形態に係るファクシミリ装置におけるタグ情報テーブル作成処理のフロー図
【図８】上記実施の形態に係るファクシミリ装置におけるデータの状態の遷移図
【図９】上記実施の形態に係るファクシミリ装置における先頭表示タグ決定処理のフロー図
【図１０】上記実施の形態に係るファクシミリ装置において、ＣＰＵからパネル制御部に送信する画面データの一例を示す図
【図１１】上記実施の形態に係るファクシミリ装置の操作パネル上に表示される宛先選択画面の一例を示す図
【符号の説明】
１００  ファクシミリ装置
１０１  ＣＰＵ
１０３  ＦＲＯＭ
１０４  ＤＲＡＭ
１０５  記録制御部
１０６  読取制御部
１０７  パネル制御部
１０８  モデム
１０９  網制御部
２０１  電話帳登録エリア
２０１  プログラム登録エリア
３０１  電話帳検索テーブル
３０２  タグ情報テーブル
【図１】
0004460179.tif 000002
【図２】
0004460179.tif 000003
【図３】
0004460179.tif 000004
【図４】
0004460179.tif 000005
【図５】
0004460179.tif 000006
【図６】
0004460179.tif 000007
【図７】
0004460179.tif 000008
【図８】
0004460179.tif 000009
【図９】
0004460179.tif 000010
【図１０】
0004460179.tif 000011
【図１１】
0004460179.tif 000012